(57)【特許請求の範囲】
【請求項１】
右眼用シャッターと左眼用シャッターとを含む立体視用眼鏡で立体視される右眼用画像および左眼用画像を表示する電気光学装置であって、
照明装置から出射した表示光を利用して画像を表示する電気光学パネルと、
右表示期間にて前記右眼用画像が表示されるとともに左表示期間にて前記左眼用画像が表示されるように前記電気光学パネルを制御する表示制御回路と、
前記右眼用シャッターを前記右表示期間にて開状態に制御するとともに前記左眼用シャッターを前記左表示期間にて開状態に制御し、かつ、前記右表示期間および前記左表示期間とは相違する遮蔽期間にて前記右眼用シャッターおよび前記左眼用シャッターの双方を閉状態に制御する眼鏡制御回路と、
前記右表示期間および前記左表示期間にて表示光が出射されるとともに前記遮蔽期間にて前記駆動電流の極性が反転するように交流の駆動電流を供給して前記照明装置を制御する照明制御回路とを具備し、
右表示期間とその次の右表示期間における前記駆動電流は一方の極性であり、左表示期間とその次の左表示期間における前記駆動電流は他方の極性であることを特徴とする電気光学装置。
【請求項２】
前記右表示期間の開始前の前記遮蔽期間にて前記電気光学パネルの表示画像が前記左眼用画像から前記右眼用画像に変化し、前記左表示期間の開始前の前記遮蔽期間にて前記電気光学パネルの表示画像が前記右眼用画像から前記左眼用画像に変化するように、前記表示制御回路は前記電気光学パネルを制御する
請求項１の電気光学装置。
【請求項３】
前記電気光学パネルは、液晶素子を含む複数の画素回路が配列された画素部を具備し、  前記右表示期間での前記右眼用画像の表示時と当該右表示期間の直前の遮蔽期間での前記右眼用画像の表示時とで前記液晶素子の印加電圧が逆極性となり、かつ、前記左表示期間での前記左眼用画像の表示時と当該左表示期間の直前の遮蔽期間での前記左眼用画像の表示時とで前記液晶素子の印加電圧が逆極性となるように、前記表示制御回路は前記電気光学パネルを制御する
請求項２の電気光学装置。
【請求項４】
請求項１から請求項３の何れかの電気光学装置と、
前記電気光学装置の前記眼鏡制御回路が制御する立体視用眼鏡と、
前記電気光学装置の前記照明制御回路が制御する照明装置と
を具備する立体視表示装置。
【発明の詳細な説明】
【技術分野】
【０００１】
本発明は、観察者が立体感を知覚するように相互に視差が付与された右眼用画像と左眼用画像とを表示する技術に関連する。
【背景技術】
【０００２】
照明装置から出射した表示光を利用して画像を表示する表示装置が従来から提案されている。例えば表示画像に応じた変調後の表示光を投射面に投射して画像を表示する投写型表示装置には、交流駆動型の放電ランプを利用した照明装置が採用される。特許文献１や特許文献２には、図６に示すように、放電ランプに供給される交流の駆動電流にパルスｐを重畳することで点灯（放電）を安定させる技術が開示されている。
【先行技術文献】
【特許文献】
【０００３】
【特許文献１】特表２００２−５３３８８４号公報
【特許文献２】特開２００５−３５３３４３号公報
【発明の概要】
【発明が解決しようとする課題】
【０００４】
放電ランプの駆動電流にパルスｐを重畳する特許文献１や特許文献２の構成では、図６に示すように、照明装置から出射する表示光の強度がパルスｐの時点にて瞬間的に変動（脈動）する。以上のような表示光の瞬間的な変動（以下「強度変化」という）ｖは、以下に説明するように表示品位の低下（表示斑）の原因となる。
【０００５】
投射型表示装置では、行列状に配列された複数の画素が行単位で順次に選択され、指定階調に応じた画像信号が選択行の各画素に供給および保持される。複数の画素の各々は、例えば液晶素子を制御するためのトランジスターを含んで構成される。画素を構成する各トランジスターの電気的な特性（例えば電流のリークの程度）は照射光の強度に応じて変化する。
【０００６】
したがって、図７に示すように、第ｍ行が選択される水平走査期間にて照明装置からの表示光に強度変化ｖが発生すると、例えば全部の画素回路に共通の階調が指定された場合でも、第ｍ行の各画素に保持される画像信号と他行の各画素に保持される画像信号とに電圧値の誤差が発生する。すなわち、周囲とは階調が相違する横方向の線状の表示斑（第ｍ行）が観察者に知覚される。具体的には、強度変化ｖ（パルスｐの重畳）と投射型表示装置の垂直走査とが同期する場合には線状の表示斑は常に所定行（例えば第ｍ行）に位置し、表示光の強度の変動と垂直走査とが同期しない場合には線状の表示斑が経時的に移動する（いわゆるスクロールノイズ）。
【０００７】
なお、以上の説明では、放電ランプの放電の安定化を目的としたパルスｐに起因する表示光の強度変化ｖを例示したが、放電の安定化以外の事情で表示光の強度を瞬間的に変動させる（あるいは不可避的に変動する）場合にも同様の問題が発生する。以上の事情を考慮して、本発明は、表示光の強度の瞬間的な変動に起因した表示品位の低下（表示斑）を抑制することを目的とする。
【課題を解決するための手段】
【０００８】
以上の課題を解決するために、本発明の電気光学装置は、右眼用シャッターと左眼用シャッターとを含む立体視用眼鏡で立体視される右眼用画像および左眼用画像を表示する電気光学装置であって、照明装置から出射した表示光を利用して画像を表示する電気光学パネルと、右表示期間にて右眼用画像が表示されるとともに左表示期間にて左眼用画像が表示されるように電気光学パネルを制御する表示制御回路と、右眼用シャッターを右表示期間にて開状態に制御するとともに左眼用シャッターを左表示期間にて開状態に制御し、かつ、右表示期間および左表示期間とは相違する遮蔽期間にて右眼用シャッターおよび左眼用シャッターの双方を閉状態に制御する眼鏡制御回路と、右表示期間および左表示期間にて表示光（例えば強度が定常的に維持された表示光）が出射されるとともに遮蔽期間にて表示光の強度がパルス状に変化するように照明装置を制御する照明制御回路とを具備する。
【０００９】
以上の構成では、右眼用シャッターおよび左眼用シャッターの双方が閉状態に制御される遮蔽期間にて表示光の強度変化（パルス状の変化）が発生するから、表示光の強度変化に起因した表示品位の低下（表示斑）が観察者に知覚され難いという利点がある。
【００１０】
本発明の好適な態様において、右表示期間の開始前の遮蔽期間にて電気光学パネルの表示画像が左眼用画像から右眼用画像に変化し、左表示期間の開始前の遮蔽期間にて電気光学パネルの表示画像が右眼用画像から左眼用画像に変化するように、表示制御回路は電気光学パネルを制御する。以上の態様においては、右眼用シャッターおよび左眼用シャッターの双方が閉状態に制御される遮蔽期間にて右眼用画像および左眼用画像の一方が他方に変化するから、右眼用画像と左眼用画像との混在（クロストーク）が観察者に知覚されないという利点がある。
【００１１】
本発明の好適な態様において、電気光学パネルは、液晶素子を含む複数の画素回路が配列された画素部を具備し、右表示期間での右眼用画像の表示時と当該右表示期間の直前の遮蔽期間での右眼用画像の表示時とで液晶素子の印加電圧が逆極性となり、かつ、左表示期間での左眼用画像の表示時と当該左表示期間の直前の遮蔽期間での左眼用画像の表示時とで液晶素子の印加電圧が逆極性となるように、表示制御回路は電気光学パネルを制御する。以上の態様においては、遮蔽期間と右表示期間または左表示期間とで液晶素子の印加電圧が逆極性に設定されるから、直流成分の印加に起因した液晶の劣化を防止することが可能である。
【００１２】
以上の各態様に係る電気光学装置は表示体として各種の電子機器に採用される。例えば、以上の各態様に係る電気光学装置と、眼鏡制御回路が制御する立体視用眼鏡と、照明制御回路が制御する照明装置とを具備する立体視表示装置が、本発明の電子機器として例示される。
【図面の簡単な説明】
【００１３】
【図１】本発明の第１実施形態に係る立体視表示装置の構成図である。
【図２】立体視表示装置の他の構成図である。
【図３】立体視表示装置の動作の説明図である。
【図４】第２実施形態における立体視表示装置の動作の説明図である。
【図５】変形例における照明装置の表示光の強度変化の説明図である。
【図６】従来の技術における照明装置の駆動電流と表示光の強度変化との説明図である。
【図７】従来の技術における問題点（表示斑）の説明図である。
【発明を実施するための形態】
【００１４】
＜Ａ：第１実施形態＞
図１は、本発明の第１実施形態に係る立体視表示装置１００のブロック図である。第１実施形態の立体視表示装置１００は、観察者に立体感を知覚させる立体視画像をアクティブシャッター方式で表示する電子機器であり、図１に示すように照明装置１０と電気光学装置２０と立体視用眼鏡３０とを具備する。照明装置１０と電気光学装置２０とは１個の筐体（図示略）に収容され得る。
【００１５】
照明装置１０は、立体視画像の表示に利用される表示光Ｄを出射する照明器であり、照明駆動回路１２と光源１４とを含んで構成される。光源１４は、表示光Ｄを出射する。例えばＵＨＰ（Ultra High Performance）ランプ等の交流駆動型の放電ランプが光源１４として好適に採用される。照明駆動回路１２は、交流の駆動電流ＬDRの供給で光源１４を発光させる。例えば直流電源から駆動電流ＬDRを生成するフルブリッジ型のインバータ回路が照明駆動回路１２として採用される。電気光学装置２０は、照明装置１０からの表示光Ｄを変調して投射面（スクリーン）２００に投射することで立体視画像（カラー画像）を表示する。
【００１６】
図１の立体視用眼鏡３０は、電気光学装置２０が表示する立体視画像の視認時に観察者が装着する眼鏡型の器具であり、観察者の右眼の前方に位置する右眼用シャッター３２と左眼の前方に位置する左眼用シャッター３４とを含んで構成される。右眼用シャッター３２および左眼用シャッター３４の各々は、照射光を透過させる開状態と照射光を遮断する閉状態とに制御される。例えば印加電圧に応じた液晶の配向方向に応じて開状態および閉状態の一方から他方に変化する液晶シャッターが右眼用シャッター３２および左眼用シャッター３４として採用され得る。
【００１７】
電気光学装置２０は、照明光学系２２と複数の電気光学パネル２４（２４R，２４G，２４B）と投射光学系２６と制御回路２８とを含んで構成される投射型表示装置（プロジェクター）である。照明光学系２２は、照明装置１０から出射した表示光Ｄを各電気光学パネル２４に供給する。具体的には、表示光Ｄの赤色成分ｒが電気光学パネル２４Rに供給され、緑色成分ｇが電気光学パネル２４Gに供給され、青色成分ｂが電気光学パネル２４Bに供給される。各電気光学パネル２４は、表示光Ｄ（各単色光）を表示画像に応じて変調する光変調器（ライトバルブ）である。投射光学系２６は、各電気光学パネル２４からの出射光を合成して投射面２００に投射する。制御回路２８は、立体視表示装置１００の各要素（照明装置１０，電気光学装置２０，立体視用眼鏡３０）を制御する。
【００１８】
図２は、立体視表示装置１００の電気的な構成を示すブロック図である。なお、図２においては、電気光学装置２０を構成する複数の電気光学パネル２４（２４R，２４G，２４B）のうち１個の電気光学パネル２４が代表的に図示されている。各電気光学パネル２４の構成や動作は共通するから、以下では１個の電気光学パネル２４に着目して構成や動作を包括的に説明する。
【００１９】
電気光学パネル２４は、複数の走査線４６２と複数の信号線４６４との各交差に対応して複数の画素回路４８が行列状に配列された画素部４２と、各画素回路４８を駆動する駆動回路４４とを具備する。駆動回路４４は、複数の走査線４６２の各々を順次に選択する走査線駆動回路４４１と、各走査線４６２の選択に同期して複数の信号線４６４の各々に階調電位ＶGを供給する信号供給回路４４３とを含んで構成される。階調電位ＶGは、外部回路から供給される画像信号で指定される階調（すなわち表示画像の各画素値）に応じて可変に設定される。各画素回路４８は、両端間の電圧に応じて透過率が変化する液晶素子ＣLを含む。液晶素子ＣLの印加電圧は、走査線４６２の選択時に信号線４６４に供給される階調電位ＶGに応じて設定される。
【００２０】
図２に示すように、制御回路２８は、各電気光学パネル２４を制御する表示制御回路５２と、立体視用眼鏡３０を制御する眼鏡制御回路５４と、照明装置１０を制御する照明制御回路５６とを含んで構成される。なお、表示制御回路５２と眼鏡制御回路５４と照明制御回路５６とを単体の集積回路に搭載した構成や、表示制御回路５２と眼鏡制御回路５４と照明制御回路５６とを別体の集積回路に分散した構成が採用され得る。以下では図３を参照して制御回路２８の具体的な動作を説明する。
【００２１】
表示制御回路５２は、各電気光学パネル２４を制御することで、相互に視差が付与された右眼用画像ＧRと左眼用画像ＧLとを時分割で投射面２００に表示させる。図３に示すように、電気光学パネル２４の動作期間は複数の単位期間Ｕ（ＵR，ＵL）に区分される。右眼用画像ＧRを表示するための単位期間ＵRと左眼用画像ＧLを表示するための単位期間ＵLとが交互に設定される。各単位期間ＵRは、遮蔽期間ＰOFFと右表示期間ＰRとを含んで構成される。遮蔽期間ＰOFFは右表示期間ＰRの開始前（直前）に位置する。同様に、各単位期間ＵLは、遮蔽期間ＰOFFと直後の左表示期間ＰLとを含んで構成される。
【００２２】
図２の表示制御回路５２は、各単位期間ＵR内の遮蔽期間ＰOFFと右表示期間ＰRとの各々において右眼用画像ＧRが表示されるように各電気光学パネル２４を制御する。すなわち、遮蔽期間ＰOFFおよび右表示期間ＰRの各々において、複数の走査線４６２の各々を走査線駆動回路４４１が順次に選択し、右眼用画像ＧRに応じた階調電位ＶGを信号供給回路４４３が各信号線４６４に供給する。ただし、各画素回路４８の液晶素子ＣLに対する印加電圧が１個の単位期間ＵR内の遮蔽期間ＰOFFと右表示期間ＰRとで逆極性となるように表示制御回路５２は駆動回路４４を制御する。すなわち、信号供給回路４４３は、遮蔽期間ＰOFFでは所定の基準電位（例えば対向電極の電位）に対して正極性（図３の符号［＋］）の階調電位ＶGを各信号線４６４に供給し、右表示期間ＰRでは基準電位に対して負極性（図３の符号［−］）の階調電位ＶGを各信号線４６４に供給する。遮蔽期間ＰOFFおよび右表示期間ＰRの各々では共通の右眼用画像ＧRが表示される。ただし、遮蔽期間ＰOFFと右表示期間ＰRとで別個の右眼用画像ＧR（相前後するフレームの画像）を表示する構成も採用され得る。
【００２３】
同様に、表示制御回路５２は、各単位期間ＵL内の遮蔽期間ＰOFFと左表示期間ＰLとの各々において左眼用画像ＧLを電気光学パネル２４に表示させる。単位期間ＵRでの動作と同様に、各画素回路４８の液晶素子ＣLに対する印加電圧（階調電位ＶG）は、１個の単位期間ＵL内の遮蔽期間ＰOFFと左表示期間ＰLとで逆極性に設定される。以上のように液晶素子ＣLに対する印加電圧の極性が順次に反転するから（交流駆動）、直流電圧の印加に起因した液晶の劣化が抑制される。
【００２４】
単位期間ＵR内の遮蔽期間ＰOFFでは、直前の単位期間ＵLの左表示期間ＰLで表示された左眼用画像ＧLが行単位で順次に右眼用画像ＧRに変化し、単位期間ＵL内の遮蔽期間ＰOFFでは、直前の単位期間ＵRの右表示期間ＰRで表示された右眼用画像ＧRが行単位で順次に左眼用画像ＧLに変化する。すなわち、各遮蔽期間ＰOFF内では右眼用画像ＧRと左眼用画像ＧLとが混在する。
【００２５】
図２の眼鏡制御回路５４は、立体視用眼鏡３０の右眼用シャッター３２および左眼用シャッター３４の各々の状態（開状態／閉状態）を電気光学パネル２４の動作に同期して制御する。具体的には、眼鏡制御回路５４は、各単位期間ＵRの右表示期間ＰRにて右眼用シャッター３２を開状態に制御するとともに左眼用シャッター３４を閉状態に制御し、各単位期間ＵLの左表示期間ＰLにて右眼用シャッター３２を閉状態に制御するとともに左眼用シャッター３４を開状態に制御する。したがって、右表示期間ＰRで表示される右眼用画像ＧRは右眼用シャッター３２を透過して観察者の右眼に到達するとともに左眼用シャッター３４で遮断され、左表示期間ＰLで表示される左眼用画像ＧLは左眼用シャッター３４を透過して観察者の左眼に到達するとともに右眼用シャッター３２で遮断される。右眼用シャッター３２を透過した右眼用画像ＧRを右眼で視認するとともに左眼用シャッター３４を透過した左眼用画像ＧLを左眼で視認することで、観察者は表示画像に立体感を知覚する。
【００２６】
また、眼鏡制御回路５４は、各単位期間Ｕ（ＵR，ＵL）の遮蔽期間ＰOFFにて右眼用シャッター３２および左眼用シャッター３４の双方を閉状態に制御する。前述のように遮蔽期間ＰOFFでは表示画像が右眼用画像ＧRおよび左眼用画像ＧLの一方から他方に経時的に変化するが、右眼用シャッター３２および左眼用シャッター３４の双方が閉状態に制御されるから、各遮蔽期間ＰOFFでの右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００２７】
図２の照明制御回路５６は、電気光学パネル２４の動作に同期した照明装置１０の制御で表示光Ｄを発生させる。具体的には、照明制御回路５６は、図３に示すように、周期的にパルスｐが重畳された交流の駆動電流ＬDRが照明駆動回路１２から光源１４に供給されるように照明駆動回路１２を制御する。以上のように駆動電流ＬDRにパルスｐを重畳することで光源１４の点灯（放電）を安定させることが可能である。図３に示すように、照明装置１０から出射する表示光Ｄには、駆動電流ＬDRに重畳されたパルスｐの時点で瞬間的な強度の変動（強度変化）ｖが発生する。
【００２８】
図３に示すように、照明制御回路５６は、各単位期間Ｕ（ＵR，ＵL）の遮蔽期間ＰOFF内のみにパルスｐが重畳される（すなわち右表示期間ＰR内や左表示期間ＰL内にはパルスｐが存在しない）ように照明駆動回路１２を制御する。したがって、駆動電流ＬDRのパルスｐに起因した表示光Ｄの強度変化ｖは、各単位期間Ｕ（ＵR，ＵL）内の遮蔽期間ＰOFF内で発生する。すなわち、照明装置１０から出射する表示光の強度は、各右表示期間ＰRや各左表示期間ＰLでは略一定（図３の強度ｄ）に維持され、各遮蔽期間ＰOFF内でパルス状に増加する。前述のように各遮蔽期間ＰOFFでは右眼用シャッター３２および左眼用シャッター３４の双方が閉状態に制御される。したがって、表示光Ｄの強度変化ｖに起因して遮蔽期間ＰOFF内の表示画像に発生し得る横方向の線状の表示斑（図７）は観察者に知覚されない。すなわち、第１実施形態によれば、表示光Ｄの安定化のために駆動電流ＬDRにパルスｐを重畳した構成でも、表示光Ｄの強度変化ｖに起因した表示品位の低下（表示斑）が有効に抑制されるという利点がある。
【００２９】
＜Ｂ：第２実施形態＞
次に、本発明の第２実施形態を説明する。なお、以下に例示する各態様において作用や機能が第１実施形態と同等である要素については、以上の説明で参照した符号を流用して各々の詳細な説明を適宜に省略する。
【００３０】
図４は、制御回路２８の動作の説明図である。図４に示すように、各単位期間ＵRは、１個の遮蔽期間ＰOFFと複数の右表示期間ＰRとを含んで構成される。同様に、各単位期間ＵLは、１個の遮蔽期間ＰOFFと複数の左表示期間ＰLとを含んで構成される。各単位期間ＵR内で相前後する各右表示期間ＰRにて液晶素子ＣLの印加電圧が逆極性となり、各単位期間ＵL内で相前後する各左表示期間ＰLにて液晶素子ＣLの印加電圧が逆極性となるように、表示制御回路５２は各電気光学パネル２４を制御する。なお、相前後する各右表示期間ＰRで共通の右眼用画像ＧRを表示する構成や別個の右眼用画像ＧR（例えば相前後するフレームの画像）を表示する構成が採用される。左表示期間ＰLについても同様である。
【００３１】
眼鏡制御回路５４は、図４に示すように、単位期間ＵR内の複数の右表示期間ＰRにて連続して右眼用シャッター３２を開状態に制御するとともに左眼用シャッター３４を閉状態に制御し、単位期間ＵL内の複数の左表示期間ＰLにて連続して左眼用シャッター３４を開状態に制御するとともに右眼用シャッター３２を閉状態に制御する。また、眼鏡制御回路５４は、第１実施形態と同様に、各単位期間Ｕ（ＵR，ＵL）の遮蔽期間ＰOFFでは右眼用シャッター３２および左眼用シャッター３４の双方を閉状態に制御する。
【００３２】
照明制御回路５６は、第１実施形態と同様に、駆動電流ＬDRのパルスｐに起因した表示光Ｄの強度変化ｖが各単位期間Ｕ（ＵR，ＵL）の遮蔽期間ＰOFFにて発生するように照明装置１０（照明駆動回路１２）を制御する。以上のように右眼用シャッター３２および左眼用シャッター３４が閉状態となる遮蔽期間ＰOFF内で表示光Ｄの強度変化ｖが発生するから、第１実施形態と同様に、強度変化ｖに起因した表示品位の低下（表示斑）を抑制することが可能である。しかも、第２実施形態では、１個の単位期間ＵRが複数の右表示期間ＰRを含むとともに１個の単位期間ＵLが複数の左表示期間ＰLを含む。以上の構成によれば、各単位期間Ｕ（ＵR，ＵL）内の遮蔽期間ＰOFFの割合が低減されるから、例えば遮蔽期間ＰOFFが単位期間Ｕの約半分を占める構成と比較して、表示画像の明度を容易に確保することが可能である。
【００３３】
＜Ｃ：変形例＞
以上の各形態は多様に変形され得る。具体的な変形の態様を以下に例示する。以下の例示から任意に選択された２以上の態様は適宜に併合され得る。
【００３４】
（１）変形例１  
以上の各形態では、表示光Ｄの強度が遮蔽期間ＰOFF内で瞬間的に変動するとともに他の期間（例えば右表示期間ＰRや左表示期間ＰL）にて略一定に維持される構成を例示したが、表示光Ｄの変動の態様は以上の例示に限定されない。例えば、図５の部分(A)や部分(B)に示すように、駆動電流ＬDRのパルスｐに起因した強度変化ｖ以外の区間で表示光Ｄの強度が経時的に変化する構成も採用され得る。また、以上の各形態では、表示光Ｄの強度が瞬間的に増加する構成を例示したが、表示光Ｄの強度が瞬間的に減少する構成にも以上の各形態を適用することが可能である。例えば照明装置１０での消費電力の低減を目的として表示光Ｄの強度を瞬間的に減少させる場合には、表示光Ｄの強度を遮蔽期間ＰOFF内で瞬間的に減少させる構成が好適に採用される。以上の説明から理解されるように、前述の各形態における照明制御回路５６は、表示光Ｄのパルス状の強度変化ｖが遮蔽期間ＰOFF内で発生するように照明装置１０を制御する要素として包括され、遮蔽期間ＰOFF内での表示光Ｄの強度の変化の方向（増加／減少）や表示光Ｄの強度を変化させる目的（放電の安定化や消費電力の低下）は任意である。
【００３５】
（２）変形例２  
以上の各形態では、遮蔽期間ＰOFFにおいても、右表示期間ＰRや左表示期間ＰLと同様に、複数の走査線４６２の各々を順次に選択して表示画像に応じた階調電位ＶGを各画素回路４８に供給したが、遮蔽期間ＰOFFでの電気光学パネル２４の動作は以上の例示に限定されない。例えば、複数の走査線４６２をＮ本（Ｎは２以上の自然数）ずつ選択して各画素回路４８に表示画像に応じた階調電位ＶGを供給する構成も採用される。以上の構成によれば、遮蔽期間ＰOFFの時間長を１/Ｎに短縮しながら右眼用画像ＧRと左眼用画像ＧLとの混在を防止することが可能である。また、以上の各形態では、右眼用画像ＧRと左眼用画像ＧLとの混在を防止するために遮蔽期間ＰOFFを設定したが、遮蔽期間ＰOFFを設定する目的は以上の例示に限定されない。例えば、表示光Ｄの強度変化ｖを観察者に知覚させないという目的のためだけに遮蔽期間ＰOFFを設定する構成も採用され得る。以上の説明から理解されるように、遮蔽期間ＰOFFは、右表示期間ＰRおよび左表示期間ＰL以外の期間として包括され、遮蔽期間ＰOFF内で右眼用画像ＧRおよび左眼用画像ＧLの一方が他方に変更される動作は必須ではない。
【００３６】
（３）変形例３  
液晶素子ＣLの印加電圧の極性を反転させる周期は任意である。例えば、液晶素子ＣLの印加電圧の極性を単位期間Ｕ（ＵR，ＵL）毎に反転させる構成や、複数の単位期間Ｕを周期として液晶素子ＣLの印加電圧の極性を反転させる構成も採用され得る。
【００３７】
（４）変形例４  
照明装置１０からの表示光Ｄの変調に利用される電気光学素子は、以上の各形態で例示した液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００３８】
（５）変形例５  
以上の各形態では、投射面２００での反射光を観察者が知覚する投射型の表示装置を例示したが、出射光を観察者が直接に知覚する直視型の表示装置にも本発明は適用され得る。直視型の表示装置では、１個の電気光学パネル２４を照明するバックライトやフロントライトとして照明装置１０が利用される。本発明を適用した直視型の表示装置は、携帯電話機や携帯情報端末等の各種の電子機器に採用され得る。
【符号の説明】
【００３９】
１００……立体視表示装置、２００……投射面、１０……照明装置、１２……照明駆動回路、１４……光源、２２……照明光学系、２４（２４R，２４G，２４B）……電気光学パネル、２６……投射光学系、２８……制御回路、３０……立体視用眼鏡、３２……右眼用シャッター、３４……左眼用シャッター、４２……画素部、４４……駆動回路、４４１……走査線駆動回路、４４３……信号供給回路、４６２……走査線、４６４……信号線、４８……画素回路、ＣL……液晶素子、５２……表示制御回路、５４……眼鏡制御回路、５６……照明制御回路。
【図１】
0005556492.tif 000002
【図２】
0005556492.tif 000003
【図３】
0005556492.tif 000004
【図４】
0005556492.tif 000005
【図５】
0005556492.tif 000006
【図６】
0005556492.tif 000007
【図７】
0005556492.tif 000008